(57)【要約】【課題】  サードパーティクッキーＩＤの送信が禁止されている場合であっても、端末装置を適切に識別しながら接触データを収集することを可能とする収集サーバ及び収集方法を提供する。【解決手段】  収集サーバ３０は、アプリケーションＩＤと収集サーバ用クッキーＩＤとを含む情報を受信するとともに、アプリケーションを用いてアプリケーションサーバからウェブコンテンツが提供された場合に、ウェブコンテンツの接触データ及びアプリケーションＩＤを含む情報を受信する通信部３１と、通信部３１によって受信された情報を用いて、ウェブコンテンツの接触データと収集サーバ用クッキーＩＤとを対応付ける制御部３３とを備える。【選択図】  図２
2014132443.tif 000002
【特許請求の範囲】
【請求項１】
アプリケーションサーバから端末装置に提供されるウェブコンテンツの接触データを収集する収集サーバであって、
前記端末装置が有するアプリケーションを識別するアプリケーションＩＤと前記収集サーバが前記端末装置を識別する収集サーバ用クッキーＩＤとを含む情報を受信する第１受信部と、
前記アプリケーションを用いて前記アプリケーションサーバから前記ウェブコンテンツが提供された場合に、前記ウェブコンテンツの接触データ及び前記アプリケーションＩＤを含む情報を受信する第２受信部と、
前記第１受信部及び前記第２受信部によって受信された情報を用いて、前記アプリケーションＩＤ及び前記収集サーバ用クッキーＩＤとの対応関係に基づいて、前記ウェブコンテンツの接触データと前記収集サーバ用クッキーＩＤとを対応付ける制御部とを備えることを特徴とする収集サーバ。
【請求項２】
前記第１受信部は、前記アプリケーションの起動、前記アプリケーションの終了、又は、前記アプリケーションのバージョンアップに応じて、前記アプリケーションＩＤ及び前記収集サーバ用クッキーＩＤを受信することを特徴とする請求項１に記載の収集サーバ。
【請求項３】
前記収集サーバ用クッキーＩＤと前記端末装置のユーザを識別するモニター識別子とを含む情報を受信する第３受信部を備え、
前記制御部は、前記第３受信部、前記第１受信部及び前記第２受信部によって受信された情報を用いて、前記アプリケーションＩＤ及び前記収集サーバ用クッキーＩＤとの対応関係に基づいて、前記ウェブコンテンツの接触データと前記モニター識別子とを対応付けることを特徴とする請求項１に記載の収集サーバ。
【請求項４】
前記第３受信部は、前記収集サーバ用クッキーＩＤ及び前記モニター識別子とともに、所定アンケートに対するアンケート結果を受信することを特徴とする請求項２に記載の収集サーバ。
【請求項５】
アプリケーションサーバから端末装置に提供されるウェブコンテンツの接触データを収集する収集方法であって、
前記端末装置が有するアプリケーションを識別するアプリケーションＩＤと前記収集サーバが前記端末装置を識別する収集サーバ用クッキーＩＤとを含む情報を受信するステップＡと、
前記アプリケーションを用いて前記アプリケーションサーバから前記ウェブコンテンツが提供された場合に、前記ウェブコンテンツの接触データ及び前記アプリケーションＩＤを含む情報を受信するステップＢと、
前記ステップＡ及び前記ステップＢで受信された情報を用いて、前記アプリケーションＩＤ及び前記収集サーバ用クッキーＩＤとの対応関係に基づいて、前記ウェブコンテンツの接触データと前記収集サーバ用クッキーＩＤとを対応付けるステップＣとを備えることを特徴とする収集方法。
【発明の詳細な説明】
【技術分野】
【０００１】
本発明は、アプリケーションサーバから端末装置に提供されるウェブコンテンツの接触データを収集する収集サーバ及び収集方法に関する。
【背景技術】
【０００２】
従来、ウェブコンテンツの接触データを収集する様々な技術が提案されている（例えば、特許文献１）。例えば、測定タグを用いる手法やツールバーを用いる手法が提案されている。いずれの方法を採用する場合であっても、端末装置を識別する識別子としてクッキーＩＤが用いられることが一般的である。
【先行技術文献】
【特許文献】
【０００３】
【特許文献１】特開２０１１−５３８１２号公報
【発明の概要】
【発明が解決しようとする課題】
【０００４】
ところで、クッキーＩＤは、同一ドメインに存在するサーバによって端末装置（詳細には、ウェブブラウザ）を識別可能な識別子である。従って、異なるドメインに存在するサーバは、互いのサーバに共通するクッキーＩＤによって端末装置を識別することができない。
【０００５】
なお、端末装置がアクセスするサーバによって端末装置を識別するクッキーＩＤは、ファーストパーティクッキーＩＤと称される。端末装置がアクセスするサーバと異なるドメインに存在するサーバによって端末装置を識別するクッキーＩＤは、サードパーティクッキーＩＤと称される。こ
ここで、接触データを収集する収集サーバが存在するドメインが、ウェブコンテンツを配信するアプリケーションサーバが存在するドメインと異なるケースについて考える。このようなケースでは、収集サーバは、アプリケーションサーバが端末装置を識別するクッキーＩＤによって端末装置を識別することができない。従って、端末装置がアプリケーションサーバにアクセスする場合に、収集サーバが端末装置を識別するためには、収集サーバが端末装置を識別するクッキーＩＤ（すなわち、この段階では、サードパーティクッキーＩＤ）を端末装置が収集サーバに送信しなければならない。
【０００６】
しかしながら、サードパーティクッキーＩＤの送信が禁止されている端末装置が存在する。このような端末装置を収集サーバが識別することができない。一方で、収集サーバが独自に収集するデータ（例えば、アンケート結果）は、収集サーバが端末装置を識別するクッキーＩＤによって管理される。従って、収集サーバが独自に収集するデータ（例えば、アンケート結果）と端末装置がアプリケーションサーバにアクセスすることによって接触する接触データとを対応付けることができない。
【０００７】
そこで、本発明は、上述した課題を解決するためになされたものであり、サードパーティクッキーＩＤの送信が禁止されている場合であっても、端末装置を適切に識別しながら接触データを収集することを可能とする収集サーバ及び収集方法を提供することを目的とする。
【課題を解決するための手段】
【０００８】
第１の特徴に係る収集サーバは、アプリケーションサーバから端末装置に提供されるウェブコンテンツの接触データを収集する。収集サーバは、前記端末装置が有するアプリケーションを識別するアプリケーションＩＤと前記収集サーバが前記端末装置を識別する収集サーバ用クッキーＩＤとを含む情報を受信する第１受信部と、前記アプリケーションを用いて前記アプリケーションサーバから前記ウェブコンテンツが提供された場合に、前記ウェブコンテンツの接触データ及び前記アプリケーションＩＤを含む情報を受信する第２受信部と、前記第１受信部及び前記第２受信部によって受信された情報を用いて、前記アプリケーションＩＤ及び前記収集サーバ用クッキーＩＤとの対応関係に基づいて、前記ウェブコンテンツの接触データと前記収集サーバ用クッキーＩＤとを対応付ける制御部とを備える。
【０００９】
第１の特徴において、収集サーバは、前記収集サーバ用クッキーＩＤと前記端末装置のユーザを識別するモニター識別子とを含む情報を受信する第３受信部を備える。前記制御部は、前記第３受信部、前記第１受信部及び前記第２受信部によって受信された情報を用いて、前記アプリケーションＩＤ及び前記収集サーバ用クッキーＩＤとの対応関係に基づいて、前記ウェブコンテンツの接触データと前記モニター識別子とを対応付ける。
【００１０】
第１の特徴において、前記第１受信部は、前記アプリケーションの起動、前記アプリケーションの終了、又は、前記アプリケーションのバージョンアップに応じて、前記アプリケーションＩＤ及び前記収集サーバ用クッキーＩＤを受信する。
【００１１】
第１の特徴において、前記第３受信部は、前記収集サーバ用クッキーＩＤ及び前記モニター識別子とともに、所定アンケートに対するアンケート結果を受信する。
【００１２】
第２の特徴に係る収集方法は、アプリケーションサーバから端末装置に提供されるウェブコンテンツの接触データを収集する。収集方法は、前記端末装置が有するアプリケーションを識別するアプリケーションＩＤと前記収集サーバが前記端末装置を識別する収集サーバ用クッキーＩＤとを含む情報を受信するステップＡと、前記アプリケーションを用いて前記アプリケーションサーバから前記ウェブコンテンツが提供された場合に、前記ウェブコンテンツの接触データ及び前記アプリケーションＩＤを含む情報を受信するステップＢと、前記ステップＡ及び前記ステップＢで受信された情報を用いて、前記アプリケーションＩＤ及び前記収集サーバ用クッキーＩＤとの対応関係に基づいて、前記ウェブコンテンツの接触データと前記収集サーバ用クッキーＩＤとを対応付けるステップＣとを備える。
【発明の効果】
【００１３】
本発明によれば、サードパーティクッキーＩＤの送信が禁止されている場合であっても、端末装置を適切に識別しながら接触データを収集することを可能とする収集サーバ及び収集方法を提供することができる。
【図面の簡単な説明】
【００１４】
【図１】図１は、第１実施形態に係る接触調査システム１００を示す図である。
【図２】図２は、第１実施形態に係る収集サーバ３０を示すブロック図である。
【図３】図３は、第１実施形態に係る収集サーバ３０によって収集される情報を示す図である。
【図４】図４は、第１実施形態に係る収集サーバ３０によって収集される情報を示す図である。
【図５】図５は、第１実施形態に係る収集サーバ３０によって収集される情報を示す図である。
【図６】図６は、第１実施形態に係る収集方法を示すシーケンス図である。
【図７】図７は、変更例１に係る収集方法を示すシーケンス図である。
【図８】図８は、変更例２に係る収集方法を示すシーケンス図である。
【発明を実施するための形態】
【００１５】
以下において、本発明の実施形態に係る接触調査システムについて、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る収集サーバは、アプリケーションサーバから端末装置に提供されるウェブコンテンツの接触データを収集する。収集サーバは、前記端末装置が有するアプリケーションを識別するアプリケーションＩＤと前記収集サーバが前記端末装置を識別する収集サーバ用クッキーＩＤとを含む情報を受信する第１受信部と、前記アプリケーションを用いて前記アプリケーションサーバから前記ウェブコンテンツが提供された場合に、前記ウェブコンテンツの接触データ及び前記アプリケーションＩＤを含む情報を受信する第２受信部と、前記第１受信部及び前記第２受信部によって受信された情報を用いて、前記アプリケーションＩＤ及び前記収集サーバ用クッキーＩＤとの対応関係に基づいて、前記ウェブコンテンツの接触データと前記収集サーバ用クッキーＩＤとを対応付ける制御部とを備える。
【００１８】
実施形態では、収集サーバは、収集サーバ用クッキーＩＤとアプリケーションＩＤとの対応付けを行った上で、アプリケーションＩＤとともに接触データを受信することによって、接触データを収集サーバ用クッキーＩＤと対応付ける。これによって、サードパーティクッキーＩＤの送信が禁止されている場合であっても、端末装置を適切に識別しながら接触データを収集することができる。
【００１９】
なお、ウェブコンテンツは、アプリケーションサーバから端末装置に提供されるものであればよく、例えば、文字列によって構成されるコンテンツ、画像によって構成されるコンテンツ、音声によって構成されるコンテンツ、文字列、画像及び音声の組合せによって構成されるコンテンツを含む。さらには、ウェブコンテンツは、例えば、アプリケーションサーバから配信されるアプリケーションであってもよい。
【００２０】
［第１実施形態］
（接触調査システム）
以下において、第１実施形態に係る接触調査システムについて説明する。図１は、第１実施形態に係る接触調査システム１００を示す図である。
【００２１】
図１に示すように、接触調査システム１００は、端末装置１０と、アプリケーションサーバ２０と、収集サーバ３０と、ネットワーク４０とを有する。
【００２２】
端末装置１０は、スマートフォンに代表される携帯端末、タブレット端末などである。端末装置１０は、サードパーティクッキーＩＤの送信が禁止されている端末を含む。端末装置１０は、ウェブコンテンツを取得するためのアプリケーション（例えば、ウェブブラウザ等）を有する。
【００２３】
第１に、端末装置１０は、収集サーバ３０から所定アンケートを受信すると、端末装置１０のユーザの回答を含むアンケート結果を収集サーバ３０に送信する。具体的には、端末装置１０は、収集サーバ用クッキーＩＤとモニター識別子とを含む情報とともに、所定アンケートに対するアンケート結果を収集サーバ３０に送信する。
【００２４】
収集サーバ用クッキーＩＤは、収集サーバ３０が端末装置１０を識別するためのクッキーＩＤである。端末装置１０が収集サーバ３０にアクセスする場合には、収集サーバ用クッキーＩＤは、端末装置１０にとってファーストパーティクッキーＩＤであることに留意すべきである。一方で、端末装置１０が収集サーバ３０とは異なるドメインに存在するアプリケーションサーバ２０にアクセスする場合には、収集サーバ用クッキーＩＤは、端末装置１０にとってサードパーティクッキーＩＤであることに留意すべきである。
【００２５】
モニター識別子は、端末装置１０のユーザを識別する識別子である。所定アンケートは、端末装置１０のユーザを対象として、年齢、性別、趣味、嗜好などの属性を問合せるアンケートである。アンケート結果は、年齢、性別、趣味、嗜好などの属性（ユーザの回答）を含む。
【００２６】
第２に、端末装置１０は、ウェブコンテンツを取得するためのアプリケーションの起動に応じて、アプリケーションを識別するアプリケーションＩＤと収集サーバ用クッキーＩＤとを含む情報を収集サーバ３０に送信する。
【００２７】
アプリケーションＩＤは、本質的には、アプリケーションを識別する識別子であるが、併せて、端末装置１０毎に異なる値である。従って、アプリケーションＩＤによって端末装置１０を識別することも可能である。
【００２８】
第３に、端末装置１０は、アプリケーションを用いてアプリケーションサーバ２０からウェブコンテンツが提供された場合に、ウェブコンテンツの接触データ及びアプリケーションＩＤを含む情報を収集サーバ３０に送信する。
【００２９】
接触データは、例えば、接触ＵＲＬ、接触日時、リファラーなどを含む。接触ＵＲＬは、アプリケーションを用いて取得されたウェブコンテンツを識別する情報である。接触日時は、アプリケーションを用いてウェブコンテンツが取得された日時である。リファラーは、アプリケーションを用いてウェブコンテンツを検索する際に参照されたウェブコンテンツを識別する情報（例えば、ＵＲＬ；Ｕｎｉｆｏｒｍ  Ｒｅｓｏｏｕｒｃｅ  Ｌｏｃａｔｏｒ）である。接触データは、アプリケーションの起動日時、アプリケーションの終了日時であってもよい。或いは、接触データは、接触ＵＲＬ、接触日時、リファラーなどに加えて、アプリケーションの起動日時、アプリケーションの終了日時を含んでいてもよい。
【００３０】
アプリケーションサーバ２０は、様々なウェブコンテンツを提供するサーバである。ここで、アプリケーションサーバ２０は、端末装置１０が有するアプリケーションによってアクセスされるサーバであればよい。具体的には、アプリケーションサーバ２０は、ネットワーク４０を介して、ウェブコンテンツを構成するデータ（例えば、ＨＴＭＬデータやＸＭＬデータなど）を端末装置１０に送信する。なお、ウェブコンテンツは、動画像や静止画像などによって構成されるコンテンツを含んでいてもよい。
【００３１】
収集サーバ３０は、アプリケーションを用いて取得されたウェブコンテンツの接触データを収集する。詳細には、収集サーバ３０が有する機能は、以下に示す通りである。
【００３２】
第１に、収集サーバ３０は、収集サーバ用クッキーＩＤとモニター識別子とを含む情報とともに、所定アンケートに対するアンケート結果を端末装置１０から受信する。
【００３３】
第２に、収集サーバ３０は、端末装置１０が有するアプリケーションの起動に応じて、アプリケーションを識別するアプリケーションＩＤと収集サーバ用クッキーＩＤとを含む情報を端末装置１０から受信する。
【００３４】
第３に、収集サーバ３０は、端末装置１０が有するアプリケーションを用いてアプリケーションサーバ２０からウェブコンテンツが提供された場合に、ウェブコンテンツの接触データ及びアプリケーションＩＤを含む情報を端末装置１０から受信する。
【００３５】
第４に、収集サーバ３０は、端末装置１０から受信する情報を用いて、アプリケーションＩＤ及び収集サーバ用クッキーＩＤとの対応関係に基づいて、ウェブコンテンツの接触データと収集サーバ用クッキーＩＤとを対応付ける。また、収集サーバ３０は、収集サーバ用クッキーＩＤとモニター識別子との対応関係に基づいて、ウェブコンテンツの接触データをモニター識別子と対応付けてもよい。さらに、収集サーバ３０は、ウェブコンテンツの接触データに加えて、アンケート結果をモニター識別子に対応付けてもよい。
【００３６】
ネットワーク４０は、端末装置１０、アプリケーションサーバ２０及び収集サーバ３０を接続するネットワークである。ネットワーク４０は、例えば、インターネットである。或いは、ネットワーク４０は、移動体通信網を含んでもよい。
【００３７】
（収集サーバ）
以下において、第１実施形態に係る収集サーバについて説明する。図２は、第１実施形態に係る収集サーバ３０を示すブロック図である。なお、図２では、収集サーバ３０を構成する機能ブロックが示されている。従って、図２では、ＣＰＵやメモリなどの構成が省略されていることに留意すべきである。
【００３８】
図２に示すように、収集サーバ３０は、通信部３１と、記憶部３２と、制御部３３とを有する。
【００３９】
通信部３１は、各種情報を端末装置１０に送信する。例えば、通信部３１は、上述した所定アンケートを端末装置１０に送信する。
【００４０】
通信部３１は、各種情報を端末装置１０から受信する。第１実施形態において、通信部３１は、収集サーバ用クッキーＩＤとモニター識別子とを含む情報とともに所定アンケートに対するアンケート結果を端末装置１０から受信する第３受信部を構成する。通信部３１は、端末装置１０が有するアプリケーションの起動に応じて、アプリケーションを識別するアプリケーションＩＤと収集サーバ用クッキーＩＤとを含む情報を端末装置１０から受信する第１受信部を構成する。通信部３１は、端末装置１０が有するアプリケーションを用いてアプリケーションサーバ２０からウェブコンテンツが提供された場合に、ウェブコンテンツの接触データ及びアプリケーションＩＤを含む情報を端末装置１０から受信する第２受信部を構成する。
【００４１】
記憶部３２は、各種情報を記憶する。例えば、記憶部３２は、通信部３１によって受信された情報を記憶する。
【００４２】
制御部３３は、収集サーバ３０を制御する。第１実施形態において、制御部３３は、通信部３１によって受信された情報を用いて、アプリケーションＩＤ及び収集サーバ用クッキーＩＤとの対応関係に基づいて、ウェブコンテンツの接触データと収集サーバ用クッキーＩＤとを対応付ける。また、制御部３３は、収集サーバ用クッキーＩＤとモニター識別子との対応関係に基づいて、ウェブコンテンツの接触データをモニター識別子と対応付けてもよい。さらに、制御部３３は、ウェブコンテンツの接触データに加えて、アンケート結果をモニター識別子に対応付けてもよい。
【００４３】
詳細には、制御部３３は、図３に示すように、通信部３１（第３受信部）によって受信された情報に基づいて、収集サーバ用クッキーＩＤ、モニター識別子、アンケート結果を対応付ける。制御部３３は、このような対応関係を記憶部３２に格納する。制御部３３は、図４に示すように、通信部３１（第１受信部）によって受信された情報に基づいて、アプリケーションＩＤと収集サーバ用クッキーＩＤとを対応付ける。制御部３３は、このような対応関係を記憶部３２に格納する。制御部３３は、図５に示すように、通信部３１（第２受信部）によって受信された情報に基づいて、アプリケーションＩＤとウェブコンテンツの接触データとを対応付ける。制御部３３は、このような対応関係を記憶部３２に格納する。
【００４４】
これによって、制御部３３は、ウェブコンテンツの接触データと収集サーバ用クッキーＩＤとを対応付けることが可能である。また、制御部３３は、ウェブコンテンツの接触データとモニター識別子とを対応付けることも可能である。さらに、制御部３３は、ウェブコンテンツの接触データに加えて、アンケート結果をモニター識別子と対応付けることも可能である。
【００４５】
（収集方法）
以下において、第１実施形態に係る収集方法について説明する。図６は、第１実施形態に係る収集方法を示すシーケンス図である。
【００４６】
図６に示すように、ステップ１０において、端末装置１０は、収集サーバ用クッキーＩＤとモニター識別子とを含む情報とともに所定アンケートに対するアンケート結果を収集サーバ３０に送信する。
【００４７】
ステップ２０において、収集サーバ３０は、収集サーバ用クッキーＩＤ（図６では、単にクッキーＩＤ）、モニター識別子、アンケート結果を対応付ける。
【００４８】
ステップ３０において、端末装置１０は、ウェブコンテンツを取得するためのアプリケーションを起動する。
【００４９】
ステップ４０において、端末装置１０は、アプリケーションを識別するアプリケーションＩＤと収集サーバ用クッキーＩＤとを含む情報を収集サーバ３０に送信する。
【００５０】
ステップ５０において、収集サーバ３０は、アプリケーションＩＤと収集サーバ用クッキーＩＤとを対応付ける。
【００５１】
ステップ６０において、収集サーバ３０は、ポータルサイトなどのウェブサイト（ここでは、アプリケーションサーバ２０）へのアクセスを要求するメッセージ（リダイレクト）を端末装置１０に送信する。
【００５２】
ステップ７０において、端末装置１０は、ポータルサイトなどのウェブサイト（ここでは、アプリケーションサーバ２０）にアクセスする。
【００５３】
ステップ８０において、アプリケーションサーバ２０は、ウェブコンテンツを端末装置１０に送信する。第１実施形態では、ウェブコンテンツに測定タグが埋め込まれている。
【００５４】
ステップ９０において、端末装置１０は、ウェブコンテンツを表示する。また、端末装置１０は、ウェブコンテンツに測定タグが埋め込まれているため、測定タグを実行する。すなわち、端末装置１０は、トラッキング画像要求を収集サーバ３０に送信する。トラッキング画像要求は、アプリケーションＩＤ及びウェブコンテンツの接触データを含む。
【００５５】
ステップ１００において、収集サーバ３０は、トラッキング画像を端末装置１０に送信する。
【００５６】
ステップ１１０において、収集サーバ３０は、ウェブコンテンツの接触データとモニター識別子（或いは、収集サーバ用クッキーＩＤ）とを対応付ける。収集サーバ３０は、ウェブコンテンツの接触データに加えて、アンケート結果をモニター識別子と対応付けてもよい。
【００５７】
（作用及び効果）
実施形態では、収集サーバ３０は、収集サーバ用クッキーＩＤとアプリケーションＩＤとの対応付けを行った上で、アプリケーションＩＤとともに接触データを受信することによって、接触データを収集サーバ用クッキーＩＤと対応付ける。これによって、サードパーティクッキーＩＤの送信が禁止されている場合であっても、端末装置１０を適切に識別しながら接触データを収集することができる。
【００５８】
［変更例１］
以下において、第１実施形態の変更例１について説明する。以下においては、第１実施形態に対する相違点について主として説明する。
【００５９】
具体的には、第１実施形態では、収集サーバ３０は、アプリケーションの起動に応じて、収集サーバ用クッキーＩＤ及びアプリケーションＩＤを含む情報を受信する。これに対して、変更例１では、収集サーバ３０は、アプリケーションの終了に応じて、収集サーバ用クッキーＩＤ及びアプリケーションＩＤを含む情報を受信する。
【００６０】
（収集方法）
以下において、第１実施形態に係る収集方法について説明する。図７は、変更例１に係る収集方法を示すシーケンス図である。
【００６１】
図７に示すように、ステップ１３０において、端末装置１０は、ウェブコンテンツを取得するためのアプリケーションを終了する。
【００６２】
ステップ１４０において、端末装置１０は、アプリケーションを識別するアプリケーションＩＤと収集サーバ用クッキーＩＤとを含む情報を収集サーバ３０に送信する。
【００６３】
ステップ１５０において、収集サーバ３０は、アプリケーションＩＤと収集サーバ用クッキーＩＤとを対応付ける。
【００６４】
これによって、収集サーバ３０は、アプリケーションサーバ２０に対する次回以降のアクセスにおいて、アプリケーションＩＤを媒介として、収集サーバ用クッキーＩＤとウェブコンテンツの接触データとを対応付けることができる。なお、アプリケーションサーバ２０に対する次回以降のアクセスにおいては、図６に示すステップ４０及びステップ５０の処理を省略可能であることは勿論である。
【００６５】
［変更例２］
以下において、第１実施形態の変更例２について説明する。以下においては、第１実施形態に対する相違点について主として説明する。
【００６６】
具体的には、第１実施形態では、収集サーバ３０は、アプリケーションの起動に応じて、収集サーバ用クッキーＩＤ及びアプリケーションＩＤを含む情報を受信する。これに対して、変更例２では、収集サーバ３０は、アプリケーションの更新に応じて、収集サーバ用クッキーＩＤ及びアプリケーションＩＤを含む情報を受信する。
【００６７】
（収集方法）
以下において、第１実施形態に係る収集方法について説明する。図８は、変更例２に係る収集方法を示すシーケンス図である。
【００６８】
図８に示すように、ステップ２２０において、アプリケーションサーバ２０は、端末装置１０が有するアプリケーションの更新が必要である旨を通知する（更新通知）。
【００６９】
ステップ２３０において、端末装置１０は、ウェブコンテンツを取得するためのアプリケーションの更新を検出する。
【００７０】
ステップ２４０において、端末装置１０は、アプリケーションを識別するアプリケーションＩＤと収集サーバ用クッキーＩＤとを含む情報を収集サーバ３０に送信する。
【００７１】
ステップ２５０において、収集サーバ３０は、アプリケーションＩＤと収集サーバ用クッキーＩＤとを対応付ける。
【００７２】
ステップ２６０において、収集サーバ３０は、アプリケーションサーバ２０へのアクセスを要求するメッセージ（リダイレクト）を端末装置１０に送信する。
【００７３】
ステップ２７０において、端末装置１０は、アプリケーションサーバ２０にアクセスする。
【００７４】
ステップ２８０において、アプリケーションサーバ２０は、ウェブコンテンツ（変更例２では、アプリケーションの更新プログラム）を端末装置１０に送信する。
【００７５】
ステップ２９０において、端末装置１０は、ステップ２８０で受信する更新プログラムを用いてアプリケーションを更新する。
【００７６】
これによって、収集サーバ３０は、アプリケーションサーバ２０に対する次回以降のアクセスにおいて、アプリケーションＩＤを媒介として、収集サーバ用クッキーＩＤとウェブコンテンツの接触データとを対応付けることができる。なお、アプリケーションサーバ２０に対する次回以降のアクセスにおいては、図６に示すステップ４０及びステップ５０の処理を省略可能であることは勿論である。
【００７７】
ここで、変更例２においては、収集サーバ３０は、アプリケーションの更新に応じて、収集サーバ用クッキーＩＤ及びアプリケーションＩＤを含む情報を受信する。しかしながら、変更例２は、これに限定されるものではない。収集サーバ３０は、アプリケーションサーバ２０から端末装置１０がアプリケーションを取得するときに、アプリケーションの更新に応じて、収集サーバ用クッキーＩＤ及びアプリケーションＩＤを含む情報を受信してもよい。すなわち、収集サーバ３０は、アプリケーションの取得（初回ダウンロード）に応じて、収集サーバ用クッキーＩＤ及びアプリケーションＩＤを含む情報を受信してもよい。
【００７８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７９】
実施形態では、端末装置１０のユーザを識別するモニター識別子及びアンケート結果（ユーザの属性）が接触データと対応付けられる。しかしながら、実施形態はこれに限定されるものではない。実施形態では、少なくとも、接触データを収集サーバ用クッキーＩＤと対応けることができればよい。
【００８０】
実施形態では、接触データは、接触ＵＲＬ、接触日時、リファラーなどを含む。しかしながら、実施形態は、これに限定されるものではない。接触データは、少なくとも接触ＵＲＬを含んでいればよい。或いは、接触データは、他のデータを含んでいてもよい。
【００８１】
実施形態では、収集サーバ用クッキーＩＤ及びアプリケーションＩＤを含む情報を収集サーバ３０が受信するトリガとして、アプリケーションの起動、アプリケーションの終了、及びアプリケーションの更新を例示した。しかしながら、このようなトリガは、これに限定されるものではない。例えば、このようなトリガは、特定のリンクを選択（クリック）する操作が行われることであってもよく、他の任意のアクションが行われることであってもよい。
【００８２】
実施形態では特に触れていないが、端末装置１０が有するアプリケーションは、アプリケーションサーバ２０にアクセスする機能を有していればよい。アプリケーションは、ウェブブラウザであってもよく、ゲームのアプリケーションであってもよく、ＳＮＳ（Ｓｏｃｉａｌ  Ｎｅｔｗｏｒｋ  Ｓｅｒｖｉｃｅ）のアプリケーションであってもよい。
【符号の説明】
【００８３】
１０…端末装置、２０…アプリケーションサーバ、３０…収集サーバ、３１…通信部、３２…記憶部、３３…制御部、４０…ネットワーク、１００…接触調査システム
【図１】
2014132443.tif 000003
【図２】
2014132443.tif 000004
【図３】
2014132443.tif 000005
【図４】
2014132443.tif 000006
【図５】
2014132443.tif 000007
【図６】
2014132443.tif 000008
【図７】
2014132443.tif 000009
【図８】
2014132443.tif 000010